(57)【要約】【課題】髭剃り面にローション液を供給する場合に、本体を小型化して握り易くし、ローション液の供給位置を自由に設定でき、使用操作を簡単にする。【解決手段】電気モータを内蔵する本体１０の上部に、髭剃り刃１４を備えた電気かみそりにおいて、本体１０の上部に着脱可能に取付けられその上面が髭剃り刃１４の髭剃り面１６より低いローション液タンク１８と、ローション液タンク１８に設けられその上面から突出しかつ突出方向に付勢された可動体３０と、この可動体３０の押込み位置でローション液を可動体３０の上面に導く液供給弁３２と、を備える。【選択図】図２
2008148857.tif 000002
【特許請求の範囲】
【請求項１】
電気モータを内蔵する本体の上部に、髭剃り刃を備えた電気かみそりにおいて、
前記本体の上部に着脱可能に取付けられその上面が前記髭剃り刃の髭剃り面より低いローション液タンクと、
前記ローション液タンクに設けられその上面から突出しかつ突出方向に付勢された可動体と、
この可動体の押込み位置でローション液を可動体の上面に導く液供給弁と、
を備えることを特徴とする電気かみそり。
【請求項２】
可動体は少なくとも表面がローション液を含浸してその上面に導く多孔質材料で作られている請求項１の電気かみそり。
【請求項３】
液供給弁は可動体の押込みによってローション液を可動体の上面に導くポンプである請求項１または２の電気かみそり。
【請求項４】
液供給弁は可動体の押込みによって開きローション液タンク内のローション液を可動体下部に導く請求項２の電気かみそり。
【請求項５】
複数のロータリー式髭剃り刃を備え、可動体は隣接するロータリー式髭剃り刃の間を臨む位置に配設されている請求項１〜４のいずれかの電気かみそり。
【請求項６】
三角形の頂点位置に配設した３つのロータリー式髭剃り刃を備え、可動体は小径のロッド状であって隣接するロータリー式髭剃り刃の間を臨む位置に合計３個配設されている請求項５の電気かみそり。
【請求項７】
髭剃り刃は往復式髭剃り刃であり、ローション液タンクは前記往復式髭剃り刃と平行方向に長い長方形である請求項２の電気かみそり。
【請求項８】
ローション液タンクには前記ロータリー式髭剃り刃が貫通する開口部が形成されている請求項５または６の電気かみそり。
【請求項９】
複数のロータリー式髭剃り刃を備え、ローション液タンクは隣接するロータリー式髭剃り刃の間を臨むように分割されている請求項５または６の電気かみそり。
【請求項１０】
ローション液タンクはローション液を補充可能である請求項１〜９のいずれかの電気かみそり。
【請求項１１】
ローション液タンクはローション液を充填した新しいものと交換可能である請求項１〜９のいずれかの電気かみそり。
【請求項１２】
請求項１の電気かみそりに用いるローション液タンク。
【発明の詳細な説明】
【技術分野】
【０００１】
この発明は、髭剃り刃を皮膚に押し当てることによって髭剃り面にローション液を自動的に供給する電気かみそりとローション液タンクとに関するものである。
【背景技術】
【０００２】
電気かみそりにおいて、ひげ剃り時にローション液(洗い液、化粧液)を用いることが広く行われている。このローション液は皮膚を保護し髭剃り刃の皮膚に対する滑りを円滑にして切れ味および剃り味を向上させ、髭剃り後の肌のヒリヒリ感の発生や肌荒れを防ぎ、爽快感を向上させるものである。
【０００３】
【特許文献１】特開２００３−９９３７
【特許文献２】特表２００２−５１４９５１
【０００４】
特許文献１には往復式電気かみそりの本体(ハウジング)の背面に扁平なローション液タンクを収容し、このタンクから往復式髭剃り刃の後面(タンクの配設側の面)に沿ってローション液のアプリケータ(供給具)を設けたものが示されている。すなわちタンクは可撓性であり、板バネを持つ加圧器(ローション供給機構)によって加圧される一方、タンク内のローション液はアプリケータに設けた弁を開くことによって髭剃り面に吐出するものである。ここにアプリケータには例えばボールを回転自在に保持し、このボールを皮膚に当てて押込むことによって弁を開くようにしている。
【０００５】
特許文献２には、ローション液タンクとポンプとを一体化して本体から着脱可能とし、ポンプを本体側に設けた駆動機構(ボタン、レバー)によって手動操作するものが示されている。ポンプ(例えばダイヤフラムポンプ)を手動操作することによってローション液をタンクから髭剃り面に吐出させるものである。
【発明の開示】
【発明が解決しようとする課題】
【０００６】
特許文献１に示されたものは本体の背面に扁平なタンクを収容し、このタンクを加圧しておくため、本体が大型化し、握りにくく操作しにくくなるという問題がある。またアプリケータの位置がタンクの上方すなわち髭剃り刃ユニットの背後に制約されているため、皮膚の髭剃り領域によっては（例えば髭剃り刃ユニットの手前側で剃る領域では）ローション液を円滑に供給しにくいという問題もある。
【０００７】
特許文献２に示されたものはポンプの駆動機構を本体に設けているため、本体が大型化すると共に、この駆動機構を作動させるために手動でボタンやレバーを繰り返し押したりする操作が必要になり、使用操作が繁雑になるという問題がある。なおボタンやレバーに代えて電気モータで駆動することも考えられるが、この場合は本体が一層大型化する。
【０００８】
この発明はこのような事情に鑑みなされたものであり、髭剃り面にローション液を供給する場合に、本体を小型化して握り易くすると共に、ローション液の供給位置を自由に設定することができ、また特別なボタンやレバーの操作が不要で使用操作を簡単にすることができる電気かみそりを提供することを第１の目的とする。この電気かみそりに用いるローション液タンクを提供することを第２の目的とする。
【課題を解決するための手段】
【０００９】
この発明によれば第１の目的は、電気モータを内蔵する本体の上部に、髭剃り刃を備えた電気かみそりにおいて、前記本体の上部に着脱可能に取付けられその上面が前記髭剃り刃の髭剃り面より低いローション液タンクと、前記ローション液タンクに設けられその上面から突出しかつ突出方向に付勢された可動体と、この可動体の押込み位置でローション液を可動体の上面に導く液供給弁と、を備えることを特徴とする電気かみそり、により達成される。第２の目的は、請求項１の電気かみそりに用いるローション液タンク、により達成される。
【発明の効果】
【００１０】
ローション液タンクの上面は、髭剃り刃の髭剃り面より僅かに低くし、このタンクを本体の上部に着脱可能としたものであるから、本体が大型化することがなく本体を握る時の操作感が向上する。またローション液は可動体の上面から供給する一方、タンクに設ける可動体は髭剃り刃と干渉しない範囲で自由な位置に設定できるので、ローションの供給位置の設定自由度が大きくなる。さらに可動体を皮膚に当てて押込めば液供給弁が開き、ローション液はこの可動体の上面に自動的に供給されるので、本体にポンプを駆動するための駆動機構（ボタンやレバー）を設ける必要がない。このため本体の小型化が図れ、使用操作が繁雑になることがない。
【発明を実施するための最良の形態】
【００１１】
可動体は、その内部や外表面に形成した小孔や溝を通してローション液をその上端に毛細管現象によって吸い上げる構造とするのが望ましい。例えば可動体全体またはその表面を不織布、フェルト状、繊維質などの多孔質材料で形成し、可動体の内部や表面に毛細管現象によってローション液を吸い上げるものが可能である（請求項２）。また可動体の外周面とこの可動体の収容部の内面（摺動面）との間隙を毛細管現象によるローション液の流路とすることもできる。この場合可動体の外周面や収容部の内面に微細な溝を形成しておいてローション液の吸い上げを促進させるようにしてもよい。
【００１２】
液供給弁は可動体の押込みによってローション液を可動体上面に導くポンプとすることができる（請求項３）。この場合にはポンプにより可動体上面にローション液を押上げることができるので、可動体に設けた小孔により（毛細管現象を利用することなく）上面にローション液を供給することができる。しかしポンプは可動体の下部（あるいは弁室）までローション液を送り、この下部（弁室）から可動体上面までは毛細管現象によって送るものであってもよい。
【００１３】
液供給弁は、可動体の押込み（押下げ）によって開きローション液タンク内と可動体下部（あるいは弁室）とを連通させるものであってもよい（請求項４）。この場合は可動体下部のローション液を毛細管現象によって可動体上面に導く。
【００１４】
複数のロータリー式髭剃り刃を備えるものとし、可動体は隣接するロータリー刃の間を臨む位置、すなわち２つのロータリー刃の外周で挟まれる平面視略くさび状の領域に配設することができる（請求項５）。また３つのロータリー式髭剃り刃を三角形の頂点位置に配設した場合には、可動体は小径なロッド状（柱状）として、隣接するロータリー式髭剃り刃の間を臨む位置に合計３個配設することができる（請求項６）。このように複数の可動体を髭剃り面に分散させることにより、髭剃り刃の移動方向によりローション液の塗布領域が不均一になるのを防ぐことができる。
【００１５】
なお可動体は小径のロッド状以外の形状であってもよい。例えば上端が水平方向（あるいは髭剃り面と平行方向）に長い板状であってもよい。板状の可動体は、往復式髭剃り刃に適する。すなわち往復式髭剃り刃と平行にこの可動体を配設することができるからである。
【００１６】
髭剃り刃を往復式髭剃り刃とする場合には、ローション液タンクは往復式髭剃り刃と平行方向に長い長方形とし、往復式髭剃り刃と平行に配設する（請求項７）。タンクは刃ユニットの手前（前面）側または／および奥（背面）側に配設してもよいし、複数の往復式髭剃り刃を有する場合には往復式髭剃り刃の間にタンクを挟んでもよい。
【００１７】
複数のロータリー式髭剃り刃を持つものでは、ローション液タンクには髭剃り刃が貫通する開口部を設け、髭剃り刃の上面（髭剃り面）がこの開口部から上方に臨むようにすることができる（請求項８）。この場合にはローション液タンク自身がロータリー式髭剃り刃を囲む外刃カバーを兼ねることになる。またタンクは隣接するロータリー式髭剃り刃の間を臨むように分割しておいてもよい（請求項９）。この場合はタンクは外刃ケースの一部となる。
【００１８】
ローション液タンクはローション液を補充可能とするのがよい（請求項１０）。この場合には、タンクの一部を開閉可能な蓋板として、この蓋板を開いて補充できるようにすることができる。またタンクに液補充用の弁や補充栓を設けておき、タンク内のローション液量が減った時にこれらの弁や補充栓を開いて補充・充填するようにするものである。ローション液タンクは使い捨て方式としてもよい。すなわち新しいタンクと交換するカートリッジ交換方式とするものである（請求項１１）。
【実施例１】
【００１９】
図１は本発明の一実施例を示す外観斜視図、図２はその一部分解斜視図、図３はローション液タンクの平面図、図４は図３におけるIV-IV線断面図、図５はポンプの拡大断面図であって図５（Ａ）は可動体の押込み時を、図５（Ｂ）は可動体の復帰時を示す。
【００２０】
図１、２において符号１０は本体であり、この本体１０には電気モータ、電池、制御回路、スイッチ類が内蔵されている。この本体１０の上部は周縁が略三角形を形成する髭剃り刃取付面１２（図２）となっている。
【００２１】
髭剃り刃取付面１２には３個のロータリー式髭剃り刃１４が三角形の頂点となる位置に取付けられている。髭剃り刃１４は髭剃り刃取付面１２から突出する略円柱状であり、その上面が刃面すなわち髭剃り面１６となっている。
【００２２】
１８はローション液タンクである。このローション液タンク１８は図２、４に示すように、本体１０の髭剃り刃取付面１２を覆うように平面視略三角形に形成され、３つの髭剃り刃１４が貫通する円柱状の３つの開口部２０が形成されている。すなわちローション液タンク１８は３個の髭剃り刃１４の外側を囲む外刃ケースを兼ねている。このローション液タンク１８を髭剃り刃取付面１２に取付けた図１の状態では、髭剃り刃１４の上部は開口部２０から上方に僅かに突出している。すなわちタンク１８の上面２２は髭剃り刃１４の髭剃り面１６よりも低く、髭剃り刃１４を皮膚に押し当てた時に髭剃り面１６に押圧力が十分に加わり髭剃りを円滑に行えるようにしている。
【００２３】
ローション液タンク１８の内部は、開口部２０を除きローション液２４の収容室２６となっている。すなわちタンク１８の上面は開口部２０を除く蓋板２８となっている。この蓋板２８には、３個の可動体３０が上下動可能かつ上向きの復帰習性をもって取付けられている。これらの可動体３０は、隣接する開口部２０の間を外側から臨む位置、すなわち平面視で２つのロータリー刃１４の内弧で挟まれる略くさび状の領域に設けられている。可動体３０は多孔質材料で小径のロッド状（柱状）に作られている。
【００２４】
可動体３０は図４、５に示すようにポンプ３２と一体化され、このポンプ３２は可動体３０の押込みによってローション液２４を可動体３０の上面に導く。すなわち蓋板２８にはローション液の収容室２６内にのびるシリンダ３４が一体に形成され、このシリンダ３４はポンプ３２の一部となる。このシリンダ３４は、底面に弁孔３６を持ち、上端が上方に向かって開いている。
【００２５】
シリンダ３４の内側にはピストン３８が上下動可能に収容されている。ピストン３８の下部外周および上部外周にはシリンダ３４に摺接するシール材であるピストンリング４０および防振リング４２が取付けられている。ピストン３８は中間付近に隔壁４４を持ち、この隔壁４４の下方に下弁室４６を、上方に上弁室４８を形成する。隔壁４４には下弁室４６から上弁室４８への流れを許容するチェック弁５６が設けられている。下弁室４６の底には、前記弁孔３６を開閉してローション液収容室２６から下弁室４６への流れを許容するチェック弁５２が設けられている。
【００２６】
可動体３０は略カップ状の受け具５４に上方から嵌合し固定されている。この受け具５４の下部のフランジ部５６はピストン３８の上端に上方から係合している。このフランジ部５６はまた、シリンダ３４の開口に上方から螺入されたロックナット５８に下方から係合する。ピストン３８の隔壁４４とシリンダ３８の底面との間にはコイルばね６０が縮装されている。このためピストン３８、受け具５４、可動体３０には、このコイルばね６０によって上向きの復帰習性が付与される。受け具５４には、上弁室４８と可動体３０とに連通する液通路６２が形成されている。
【００２７】
従って可動体３０はコイルばね６０によって通常は図４に示すように上方へ押上げられた復帰位置にある。可動体３０を皮膚に当てて押し下げると、受け具５４と共にピストン３８がコイルばね６０を圧縮しつつ下降する。このため下弁室４６が圧縮され、下弁室４６内のローション液が上のチェック弁５０を開いて上弁室４８に入る。可動体３０の皮膚に対する圧力（押下げ力）を解除すれば、可動体３０、受け具５４、ピストン３８はコイルばね６０によって押上げられる。この時上弁室４８が加圧され、この中のローション液は液通路６２を通って可動体３０の下部に送られる。
【００２８】
またこの時には下弁室４６が減圧されるので、下のチェック弁５２が開き、ローション液収容室２６から弁孔３６を通してローション液が下弁室４６に入る。可動体３０の上下動によってポンプ３２が繰り返し作動し、可動体３０の下部にローション液が繰り返し供給される。
【００２９】
可動体３０は全体が多孔質の材料、例えばセラミックス、不織布、フェルト、繊維などで作られ、液通路６２を通して上弁室４８から可動体３０の底面に導かれるローション液は、可動体３０の毛細管現象によって可動体３０の上面に導かれる。
【００３０】
またタンク１８にはローション液が補充可能である。例えば蓋板２８を開いてタンク１８内にローション液を充填すればよい。なおタンク１８にローション液補充用の弁や補充栓（図示せず）を設け、適時にローション液をタンク１８に補充・充填できるようにしてもよい。さらにタンク１８は新しいタンクと交換する言わばカートリッジ交換方式としてもよい。
【実施例２】
【００３１】
図６は他の実施例の外観斜視図、図７はその一部分解斜視図である。この実施例はローション液タンク１１８を３つに分解したものである。本体１１０の上部は周縁が略三角形の髭剃り刃取付面１１２（図７）となり、ここに３個のロータリー式髭剃り刃１１４が三角形の頂点となる位置に取付けられている。
【００３２】
３つの髭剃り刃１１４は略三又状の外刃ケース１００でカバーされ、髭剃り刃１１４の髭剃り面１１６は外刃ケース１００から突出し、皮膚に接触可能である。外刃ケース１００の三又状に分岐する谷部分にはそれぞれ平面視略三角形のローション液タンク１１８が装着されている。すなわち各タンク１１８は隣接する髭剃り刃１１４の間を外周から臨むように髭剃り刃取付面１１２に取付けられている。
【００３３】
各タンク１１８の上面には、上下動可能かつ上方へ復帰摺性を付与された可動体１３０が取付けられ、通常はこの可動体１３０はタンク１１８の上面から突出している。この可動体１３０は前記図４〜５に示したポンプ３２と同じ構造のポンプ（図示せず）と一体されている。このため可動体１３０を押込むことにより、タンク１１８内のローション液が可動体１３０の上面に供給される。
【実施例３】
【００３４】
図８は他の実施例の髭剃りヘッド部分の斜視図、図９はそのローション液タンクの断面図である。この実施例３は、本体２１０の上部に往復式髭剃り刃２１４、２１４を持ち、両髭剃り刃２１４、２１４の間に長方形の箱状のローション液タンク２１８を着脱可能に挟持したものである。
【００３５】
タンク２１８は髭剃り刃２１４と平行に長く、その上面には複数（３個）の可動体２３０が突出している。可動体２３０は下方へ押込み可能である。可動体２３０は多孔質材料でロッド状に作られ、その下端に設けた液供給弁２３２を開閉する。すなわち可動体２３０は通常は復帰ばね２６０によって図９の左側に示すように上方へ復帰し、弁２３２を閉じる一方、可動体２３０を押込んだ状態では図９の右側に示すように弁２３２を開く。このためタンク２１８内のローション液は開いた弁２３２を通って可動体２３０の下部に入る。従ってローション液は可動体２３０を毛細管現象によって上昇し、可動体３０の上面に到達する。
【図面の簡単な説明】
【００３６】
【図１】本発明の実施例１の外観斜視図
【図２】実施例１の一部分解斜視図
【図３】ローション液タンクの平面図
【図４】図３におけるIV-IV線断面図
【図５】ポンプの拡大断面図
【図６】実施例２の外観斜視図
【図７】その一部分解斜視図
【図８】実施例３の髭剃りヘッド部分の斜視図
【図９】同じくローション液タンクの断面図
【符号の説明】
【００３７】
１０、１１０、２１０  本体
１４、１１４  ロータリー式髭剃り刃
２１４  往復式髭剃り刃
１８、１１８、２１８  ローション液タンク
２０  開口部
３０、１３０、２３０  可動体
３２、１３２  ポンプ（液供給弁）
２３２  液供給弁
【図１】
2008148857.tif 000003
【図２】
2008148857.tif 000004
【図３】
2008148857.tif 000005
【図４】
2008148857.tif 000006
【図５】
2008148857.tif 000007
【図６】
2008148857.tif 000008
【図７】
2008148857.tif 000009
【図８】
2008148857.tif 000010
【図９】
2008148857.tif 000011